(57)【要約】【課題】  画像データをメモリに格納する際の消費電力を低減する。【解決手段】  第１比較器１５は現フレームと前フレームとの同じラインのパリティチェック結果を比較する一方、第２比較器１６はビット加算結果を比較し、第１アンドゲート１７は、現フレームと前フレームとの同じラインのデータが同じである場合には「Ｈ」の信号を出力する。第２アンドゲート１９は、現ラインにおける現フレームと前フレームとのデータが同じであり且つ１ライン〜前ラインにおける現フレームと前フレームとのデータが同じである場合に、「Ｈ」の信号を出力する。第５ゲート５は、１ライン〜ｎラインにおける現フレームと前フレームとのデータが同じである場合(静止画の場合)には閉鎖して、次フレームのデータをＳＲＡＭ２に入力しない。こうして、ＳＲＡＭ２に画像データを格納する際の消費電力を低減する。【選択図】図２
2006184357.tif 000002
【特許請求の範囲】
【請求項１】
フレームメモリの前段に配置されると共に、
入力されたフレーム単位の画像データに基づいて、入力画像が動画像であるか静止画像であるかをフレーム単位で判定する画像判定手段と、
上記画像判定手段による判定結果が静止画像である場合には、入力された現フレームの画像データの上記フレームメモリへの入力を禁止する画像データ入力禁止手段と
を備えたことを特徴とする外部画像入力装置。
【請求項２】
フレームメモリの前段に配置されると共に、
入力されたフレーム単位の画像データから当該画像データの特性を抽出し、この抽出された特性を表す特性値を出力する画像データ特性抽出手段と、
上記特性値を、画像を構成する単位である構成単位で格納する特性値格納手段と、
上記特性値格納手段に格納されている前構成単位の画像データの特性値と、上記画像データ特性抽出手段から出力される現構成単位の画像データの特性値とを比較して、上記両特性値が同一であるか否かを判定する比較手段と、
上記比較手段による判定結果が同一である場合には、入力された現フレームの画像データの上記フレームメモリへの入力を禁止する画像データ入力禁止手段と
を備えたことを特徴とする外部画像入力装置。
【請求項３】
請求項２に記載の外部画像入力装置において、
上記構成単位はフレームであることを特徴とする外部画像入力装置。
【請求項４】
請求項３に記載の外部画像入力装置において、
上記画像データ特性抽出手段は、
入力されたフレーム単位の画像データに基づいて、ライン毎にパリティチェックを行って、上記パリティチェックの結果を表す値を上記特性値として出力する水平パリティチェック手段と、
入力されたフレーム単位の画像データに基づいて、ライン毎にデータ加算を行って、上記データ加算の結果を表す値を上記特性値として出力するデータ加算手段と
を含んでいることを特徴とする外部画像入力装置。
【請求項５】
請求項４に記載の外部画像入力装置において、
上記比較手段は、上記前フレームの画像データの特性値と現フレームの画像データの特性値との比較を、上記ライン毎の上記パリティチェック結果と上記ライン毎の上記データ加算結果とに基づいて、上記前フレームと現フレームとの同一ラインについて行うようになっており、
上記比較手段による現ラインに関する上記比較結果と前ラインに関する上記比較結果とに基づいて、上記現ラインに関する上記比較結果が同一であり且つ前ラインに関する上記比較結果が同一であるかを判定し、判定結果を表す判定結果情報を出力する比較結果判定手段と、
上記判定結果情報を格納する判定結果情報格納手段と
を備え、
上記画像データ入力禁止手段は、上記判定結果情報格納手段に格納された上記判定結果情報に基づいて、現フレームの画像データの上記フレームメモリへの入力を禁止するようになっていることを特徴とする外部画像入力装置。
【請求項６】
入力されたフレーム単位の画像データから当該画像データの特性を抽出し、この抽出された特性を表す特性値を出力するステップと、
上記特性値をフレーム単位で特性値格納手段に格納するステップと、
上記特性値格納手段に格納されている前フレームの画像データの特性値と、上記出力された現フレームの画像データの特性値とを比較して、上記両特性値が同一であるか否かを判定するステップと、
上記判定結果が同一である場合には、入力された現フレームの画像データのフレームメモリへの入力を禁止するステップと
を備えたことを特徴とする外部画像入力処理方法。
【請求項７】
請求項６に記載の外部画像入力処理方法において、
上記画像データの特性を抽出するステップは、
入力されたフレーム単位の画像データに基づいて、ライン毎にパリティチェックを行って、上記パリティチェックの結果を表す値を上記特性値として出力するステップと、
入力されたフレーム単位の画像データに基づいて、ライン毎にデータ加算を行って、上記データ加算の結果を表す値を上記特性値として出力するステップと
を含んでいることを特徴とする外部画像入力処理方法。
【発明の詳細な説明】
【技術分野】
【０００１】
この発明は、外部からの入力画像をフレームメモリに格納する際に処理を行う外部画像入力装置および外部画像入力処理方法に関する。
【背景技術】
【０００２】
外部画像入力端子から入力される画像データに対して画像処理を行った後に画像表示を行う場合には、一旦画像データをメモリに格納する必要が生ずる。そのため、一般的に、フレームの画像データを格納するメモリが備えられている。例えば、液晶表示装置においては、コントロール回路に画像データ(Ｒ,Ｂ,Ｇの各画像データ)を１フレーム分格納するフレームメモリを有している(例えば、特開平９‐２６１６４９号公報(特許文献１))。そして、上記特許文献１に開示された画像の動きを検出する装置においては、外部画像入力端子に入力される画像データの内容に関わらず、全画像データをメモリ(フレームメモリ)に格納するようにしている。
【０００３】
しかしながら、上記特許文献１の画像の動きを検出する装置のように、常に、１フレーム毎にフレームメモリを書き換える場合には、画像データをメモリに格納する際の消費電力が増大するという問題がある。このことは、特に、携帯機器に用いられる液晶表示装置等の場合に大きな問題となる。
【特許文献１】特開平９‐２６１６４９号公報
【発明の開示】
【発明が解決しようとする課題】
【０００４】
そこで、この発明の課題は、画像データをメモリに格納する際の消費電力を低減できる外部画像入力装置および外部画像入力処理方法を提供することにある。
【課題を解決するための手段】
【０００５】
上記課題を解決するため、この発明の外部画像入力装置は、
フレームメモリの前段に配置されると共に、
入力されたフレーム単位の画像データに基づいて、入力画像が動画像であるか静止画像であるかをフレーム単位で判定する画像判定手段と、
上記画像判定手段による判定結果が静止画像である場合には、入力された現フレームの画像データの上記フレームメモリへの入力を禁止する画像データ入力禁止手段と
を備えたことを特徴としている。
【０００６】
上記構成によれば、入力画像が静止画像であると判定した場合には、後段に配置されたフレームメモリへの現フレームの画像データの入力を停止するので、上記フレームメモリに対する不必要な画像データの書き込みを無くして、上記フレームメモリに外部入力画像を格納する際の消費電力を低減することができる。
【０００７】
また、この発明の外部画像入力装置は、
フレームメモリの前段に配置されると共に、
入力されたフレーム単位の画像データから当該画像データの特性を抽出し、この抽出された特性を表す特性値を出力する画像データ特性抽出手段と、
上記特性値を、画像を構成する単位である構成単位で格納する特性値格納手段と、
上記特性値格納手段に格納されている前構成単位の画像データの特性値と、上記画像データ特性抽出手段から出力される現構成単位の画像データの特性値とを比較して、上記両特性値が同一であるか否かを判定する比較手段と、
上記比較手段による判定結果が同一である場合には、入力された現フレームの画像データの上記フレームメモリへの入力を禁止する画像データ入力禁止手段と
を備えたことを特徴としている。
【０００８】
上記構成によれば、入力された画像データに基づいて、前フレームの画像データから抽出された特性値と現フレームの画像データから抽出された特性値とが同一であると判定した場合には、入力画像が静止画像であると見なして、後段に配置されたフレームメモリへの現フレームの画像データの入力を停止するようにしている。したがって、入力画像が静止画像である場合には、上記フレームメモリへの不必要な現フレームの画像データの書き込みを無くして、上記フレームメモリに外部入力画像を格納する際の消費電力を低減することができる。
【０００９】
また、１実施の形態の外部画像入力装置では、
上記構成単位はフレームである。
【００１０】
この実施の形態によれば、上記特性値格納手段への特性値の格納および上記比較手段による画像データの特性値の比較が、フレーム単位で行われる。したがって、入力画像が静止画像であるか否かの判別を、フレームメモリへの格納単位で効率よく行われる。
【００１１】
また、１実施の形態の外部画像入力装置では、
上記画像データ特性抽出手段は、
入力されたフレーム単位の画像データに基づいて、ライン毎にパリティチェックを行って、上記パリティチェックの結果を表す値を上記特性値として出力する水平パリティチェック手段と、
入力されたフレーム単位の画像データに基づいて、ライン毎にデータ加算を行って、上記データ加算の結果を表す値を上記特性値として出力するデータ加算手段と
を含んでいる。
【００１２】
この実施の形態によれば、画像データの特性値としてライン毎のパリティチェック結果とライン毎のデータ加算結果とを算出するので、少ない情報量で画像データの一致不一致が判定可能な特性値を用いることができる。さらに、上記パリティチェック結果とデータ加算結果とを併用することによって、前フレームの画像データと現フレームの画像データとの一致不一致を正確に判定することができる。
【００１３】
また、１実施の形態の外部画像入力装置では、
上記比較手段は、上記前フレームの画像データの特性値と現フレームの画像データの特性値との比較を、上記ライン毎の上記パリティチェック結果と上記ライン毎の上記データ加算結果とに基づいて、上記前フレームと現フレームとの同一ラインについて行うようになっており、
上記比較手段による現ラインに関する上記比較結果と前ラインに関する上記比較結果とに基づいて、上記現ラインに関する上記比較結果が同一であり且つ前ラインに関する上記比較結果が同一であるかを判定し、判定結果を表す判定結果情報を出力する比較結果判定手段と、
上記判定結果情報を格納する判定結果情報格納手段と
を備え、
上記画像データ入力禁止手段は、上記判定結果情報格納手段に格納された上記判定結果情報に基づいて、現フレームの画像データの上記フレームメモリへの入力を禁止するようになっている。
【００１４】
この実施の形態によれば、上記比較手段による比較をライン毎に行い、比較結果判定手段によって上記現ラインに関する上記比較結果が同一であり且つ前ラインに関する上記比較結果が同一であるかを判定し、この判定結果を表す判定結果情報に基づいて、現フレームの画像データの上記フレームメモリへの入力を停止するようにしている。したがって、上記比較手段による比較処理および上記比較結果判定手段による判定処理を、簡単にすることができる。さらに、上記比較結果判定手段を論理回路で構成することによって上記判定結果情報を１ビット情報にすることができ、装置面積の増大を最小限に抑えて携帯機器に最適な構成を提供できる。
【００１５】
また、この発明の外部画像入力処理方法は、
入力されたフレーム単位の画像データから当該画像データの特性を抽出し、この抽出された特性を表す特性値を出力するステップと、
上記特性値をフレーム単位で特性値格納手段に格納するステップと、
上記特性値格納手段に格納されている前フレームの画像データの特性値と、上記出力された現フレームの画像データの特性値とを比較して、上記両特性値が同一であるか否かを判定するステップと、
上記判定結果が同一である場合には、入力された現フレームの画像データのフレームメモリへの入力を禁止するステップと
を備えたことを特徴としている。
【００１６】
上記構成によれば、入力画像が静止画像である場合には、上記フレームメモリへの不必要な現フレームの画像データの書き込みを無くして、上記フレームメモリに外部入力画像を格納する際の消費電力を低減することができる。
【００１７】
また、１実施の形態の外部画像入力処理方法では、
上記画像データの特性を抽出するステップは、
入力されたフレーム単位の画像データに基づいて、ライン毎にパリティチェックを行って、上記パリティチェックの結果を表す値を上記特性値として出力するステップと、
入力されたフレーム単位の画像データに基づいて、ライン毎にデータ加算を行って、上記データ加算の結果を表す値を上記特性値として出力するステップと
を含んでいることを特徴としている。
【００１８】
上記構成によれば、画像データの特性値としてライン毎のパリティチェック結果とライン毎のデータ加算結果とを算出するので、少ない情報量で画像データの一致不一致が判定可能な特性値を用いることができる。さらに、上記パリティチェック結果とデータ加算結果とを併用することによって、前フレームの画像データと現フレームの画像データとの一致不一致を正確に判定することができる。
【発明の効果】
【００１９】
以上より明らかなように、この発明によれば、入力画像が静止画像であると判定した場合には、後段に配置されたフレームメモリへの現フレームの画像データの入力を停止するので、上記フレームメモリに対する不必要な画像データの書き込みを無くして、上記フレームメモリに外部入力画像を格納する際の消費電力を低減することができる。
【００２０】
また、上記静止画像の判定の際に用いる画像データの特性値として、ライン毎のパリティチェック結果とライン毎のデータ加算結果とを算出すれば、少ない情報量で画像データの一致不一致が判定可能な特性値を用いることができる。さらに、上記パリティチェック結果とデータ加算結果とを併用することによって、前フレームの画像データと現フレームの画像データとの一致不一致を正確に判定することができる。
【発明を実施するための最良の形態】
【００２１】
以下、この発明を図示の実施の形態により詳細に説明する。図１は、本実施の形態の外部画像入力装置を用いた画像入力システムの概略構成図である。１は外部画像入力装置であり、入力されたＲＧＢの画像データ(以下、ＲＧＢデータと言う)をスタティックＲＡＭ(スタティック・ランダム・アクセス・メモリ：以下、ＳＲＡＭと記載する)２に格納する前に、フレーム毎にＲＧＢデータを解析し、前フレーム画像データと現フレーム画像データに違いがない場合、すなわち、静止画像データである場合は、ＳＲＡＭ２に入力しないようにするものである。
【００２２】
図２は、上記外部画像入力装置１の内部構成を示す。以下、図２に従って、外部画像入力装置１の構成および動作について説明する。
【００２３】
上記外部画像入力装置１に入力されたＲＧＢデータは、パリティチェック部３とビット加算演算部４と第５ゲート５とに入力される。ここで、ＲＧＢデータは、例えば、ＲＧＢ各６ビットで構成され、全体では１８ビット(＝６ビット×３)で構成される。
【００２４】
上記第５ゲート５は、１bitレジスタである第６レジスタ６の出力信号を制御信号として開閉し、上記出力信号のレベルが「Ｌ」の場合に開放する一方、「Ｈ」の場合に閉鎖する。但し、第６レジスタ６の出力信号の初期値は「Ｌ」である。したがって、最初のフレーム(1st.フレーム)のＲＧＢデータは、無条件でＳＲＡＭ２に入力されることになる。また、第６レジスタ６には、外部から入力されるフレームの１ライン目の開始を示すＦＬＭ(First Line Maker)パルスを制御信号として開閉する第４ゲート７を介して第５レジスタ８からの出力信号が入力される。そして、第６レジスタ６は、第４ゲート７に対する制御信号が最初のＦＬＭパルス(1st.ＦＬＭパルス)の場合には「Ｈ」がセットされ、2nd.ＦＬＭパルス以降の場合には、第５レジスタ８の出力が入力される。尚、第５レジスタ８は、１bitレジスタである。
【００２５】
一方、上記パリティチェック部３は、入力されたＲＧＢデータに対してパリティチェックを行い、ライン毎のパリティチェック結果を第１レジスタ９に格納する。ここで、第１レジスタ９は、ライン数ｎ個分の１bitレジスタで構成されており、各１bitレジスタには対応するラインのパリティチェック結果が格納される。また、ビット加算演算部４は、入力されたＲＧＢデータに対してライン毎のビット加算を行い、ライン毎のビット加算結果を第２レジスタ１０に格納する。ここで、第２レジスタ１０は、１ラインの画素数分の９bitレジスタがライン数ｎ個分で構成されており、各１ラインの画素数分の９bitレジスタには対応するラインのビット加算結果が格納される。尚、第２レジスタ１０を９bitレジスタを単位として構成する理由は、次の通りである。
【００２６】
例えば、１画素のＲＧＢデータが、
(Ｒ,Ｇ,Ｂ)＝(１１１１１１ｂ,１１１１１１ｂ,１１１１１１ｂ)
ここで、ｂ：binaryの略
の場合を考えると、ビット加算結果
(Ｒ,Ｇ,Ｂ)＝(１１０ｂ,１１０ｂ,１１０ｂ)は、
ビット連結して「１１０１１０１１０ｂ」となり、９ビット構成となるからである。
【００２７】
また、上記ビット加算を行う理由は次の通りである。すなわち、上記パリティチェックにおいては、入力データ中の値が「１」であるビット数を数え、予め決められている符号(例えば、偶数の場合は「０」、奇数の場合は「１」を得る。したがって、パリティチェックでは、
(Ｒ,Ｇ,Ｂ)＝(１１１１１１,００００００,００００００)
と
(Ｒ,Ｇ,Ｂ)＝(００００００,１１１１１１,００００００)
との場合、何れのＲＧＢデータもパリティチェック結果が「０」となり、同じデータであると見なされることになる。一方、上記ビット加算の場合には、上記両ＲＧＢデータのビット加算結果は
(Ｒ,Ｇ,Ｂ)＝(１１１１１１,００００００,００００００)
＝(６,０,０)
(Ｒ,Ｇ,Ｂ)＝(００００００,１１１１１１,００００００)
＝(０,６,０)
となり、違うデータであることが認識できるためである。
【００２８】
以上のことから、本実施の形態においては、２つのＲＧＢデータの比較において、パリティチェック結果が同じであり、且つ、ビット加算結果が同じである場合に、両ＲＧＢデータは同じであると判定するのである。
【００２９】
こうして、上記第１レジスタ９に格納された1st.フレームのＲＧＢデータに対するパリティチェック結果は、上記ＦＬＭパルスを制御信号として開閉する第１ゲート１１に入力される。しかしながら、その時点では1st.ＦＬＭパルスは「Ｈ」となっているため第１ゲート１１は閉鎖されており、第３レジスタ１２には格納されない。これに対して、第２レジスタ１０に格納された1st.フレームのＲＧＢデータに対するビット加算結果は、上記ＦＬＭパルスを制御信号として開閉する第２ゲート１３に入力される。しかしながら、その時点では1st.ＦＬＭパルスは「Ｈ」となっているため第２ゲート１３は閉鎖されており、第４レジスタ１４には格納されない。
【００３０】
以上の結果、上記外部画像入力装置１に入力された1st.フレームのＲＧＢデータは、ＳＲＡＭ２に出力されると同時に、ライン毎のパリティチェック結果が第１レジスタ９に格納される一方、ライン毎のビット加算結果が第２レジスタ１０に格納されるのである。
【００３１】
次に、上記外部画像入力装置１に対して2nd.フレームのＲＧＢデータが入力され、パリティチェック部３とビット加算演算部４と第５ゲート５とに入力される。その場合、第５ゲート５は、1st.フレームのＦＬＭパルス(1st.ＦＬＭパルス)によって「Ｈ」が格納されている第６レジスタ６からの出力信号「Ｈ」によって閉鎖されるため、2nd.フレームのＲＧＢデータはＳＲＡＭ２に出力されない。
【００３２】
一方、上記パリティチェック部３は、上述と同様に、入力された2nd.フレームのＲＧＢデータに対してパリティチェックを行い、ライン毎のパリティチェック結果によって第１レジスタ９の内容を更新する。また、ビット加算演算部４は、上述と同様に、入力された2nd.フレームのＲＧＢデータに対してライン毎のビット加算を行い、ライン毎のビット加算結果によって第２レジスタ１０の内容を更新する。その場合、既に、2nd.フレームのＦＬＭパルス(2nd.ＦＬＭパルス)によって第１ゲート１１が開放され、第１レジスタ９に格納されていた1st.フレームのＲＧＢデータに関するライン毎のパリティチェック結果は、第１ゲート１１を介して第３レジスタ１２に格納されている。同様に、第２ゲート１３が開放され、第２レジスタ１０に格納されていた1st.フレームのＲＧＢデータに関するライン毎のライン毎のビット加算結果は、第２ゲート１３を介して第４レジスタ１４に格納されている。ここで、上記第３レジスタ１２は、ライン数ｎ個分の１bitレジスタで構成されており、各１bitレジスタには対応するラインのパリティチェック結果が格納される。また、第４レジスタ１４は、１ラインの画素数分の９bitレジスタがライン数ｎ個分で構成されており、各１ラインの画素数分の９bitレジスタには対応するラインのビット加算結果が格納される。
【００３３】
次に、上記第１レジスタ９に格納された2nd.フレームのＲＧＢデータに関するライン毎のパリティチェック結果と、第３レジスタ１２に格納された1st.フレームのＲＧＢデータに関するライン毎のパリティチェック結果とが、第１比較器１５に入力される。一方、第２レジスタ１０に格納された2nd.フレームのＲＧＢデータに関するライン毎のビット加算結果と、第４レジスタ１４に格納された1st.フレームのＲＧＢデータに関するライン毎のビット加算結果とが、第２比較器１６に入力される。
【００３４】
そして、上記第１比較器１５によって、先ず、2nd.フレームの1st.ラインのパリティチェック結果(つまり、現フレームの1st.ラインの値)と1st.フレームの1st.ラインのパリティチェック結果(つまり、前フレームの同じ1st.ラインの値)とが比較され、比較の結果が同じ値である(違いがない)場合には、レベルが「Ｈ」の信号が第１アンドゲート１７に出力される。一方、上記第２比較器１６によって、2nd.フレームの1st.ラインのビット加算結果(つまり、現フレームの1st.ラインの値)と1st.フレームの1st.ラインのビット加算結果(つまり、前フレームの同じ1st.ラインの値)とが比較され、比較の結果が同じ値である(違いがない)場合には、レベルが「Ｈ」の信号が第１アンドゲート１７に出力される。その結果、第１アンドゲート１７からは、2nd.フレームの1st.ラインと1st.フレームの同じ1st.ラインとに関して、パリティチェック結果が同じで且つビット加算結果が同じである場合に、ＲＧＢデータは同じであると判定されてレベルが「Ｈ」の信号が出力されることになる。
【００３５】
以下、上記第１比較器１５,第２比較器１６および第１アンドゲート１７は、2nd.フレームの2nd.ライン以降の各ラインと1st.フレームの2nd.ライン以降の同じラインとについて、上述と同様の比較処理と論理積演算とを各ライン毎に順次行うのである。
【００３６】
こうして、先ず、2nd.フレームと1st.フレームとの同じ1st.ラインに関するパリティチェック結果の比較結果とビット加算結果の比較結果との論理積値が、第１アンドゲート１７から出力されて、外部から入力される各ラインの開始を示すＬＰ(Line Pulse)パルスを制御信号として開閉する第３ゲート１８に入力される。しかしながら、その時点では1st.ラインのＬＰパルス(1st.ＬＰパルス)は「Ｈ」となっているため第３ゲート１８は閉鎖されており、上記論理積値は第２アンドゲート１９には入力されない。そして、第１アンドゲート１７が、2nd.フレームと1st.フレームとの同じ2nd.ラインに関する上記論理積演算を開始する際に、2nd.ＬＰパルスによって第３ゲート１８が開放され、第１アンドゲート１７からの上記1st.ラインに関する上記論理積値が、第３ゲート１８を介して第２アンドゲート１９に入力されるのである。
【００３７】
一方、上記第５レジスタ８の出力信号の初期値のレベルは「Ｈ」であり、第２アンドゲート１９は、第３ゲート１８から入力される2nd.フレームと1st.フレームとの1st.ラインに関する上記論理積値が「Ｈ」、つまりＲＧＢデータが同じである場合に、レベル「Ｈ」の信号を出力するのである。そして、第２アンドゲート１９からの論積値は、第５レジスタ８に格納される。
【００３８】
以下、上記第２アンドゲート１９は、第３ゲート１８からの2nd.フレームと1st.フレームとの2nd.ライン以降の各ラインに関する上記論理積値と、第５レジスタ８からの2nd.フレームと1st.フレームとの前ラインまでの上記論理積値とについて、上述と同様の倫理積演算を各ライン毎に順次行う。換言すれば、現フレームと前フレームとに関して、あるラインに関するＲＧＢデータの比較結果と１ライン〜前ラインに関するＲＧＢデータの比較結果とが、同じであるか異なるかを順次判定するのである。
【００３９】
こうして、先ず、2nd.フレームと1st.フレームとの1st.ラインに関する上記論理積値と第５レジスタ８の初期値との論理積演算の結果が第５レジスタ８に入力され、さらに、上記ＦＬＭを制御信号として開閉する第４ゲート７に入力される。しかしながら、その時点では2nd.フレームの2nd.ＦＬＭパルスは「Ｈ」となっているため第４ゲート７は閉鎖されており、上記論理積値は第６レジスタ６には格納されない。
【００４０】
以下、上記パリティチェック部３,ビット加算演算部４,第１ゲート１１,第２ゲート１３,第１比較器１５,第２比較器１６,第１アンドゲート１７,第３ゲート１８,第２アンドゲート１９および第５レジスタ８は、上述の動作を繰り返して、最終的に、第５レジスタ８からは、2nd.フレームと1st.フレームとの１ライン〜(ｎ−１)ラインに関する上記論理積値と2nd.フレームと1st.フレームとのｎライン(最終ライン)に関する上記論理積値との論理積演算の結果が出力される。そして、この論理積演算の結果は、１ライン〜(ｎ−１)ラインに関する上記論理積値が「Ｈ」であり且つｎライン(最終ライン)に関する上記論理積値が「Ｈ」である、つまり、2nd.フレームと1st.フレームとの１ライン同士〜(ｎ−１)ライン同士のＲＧＢデータが同じであって且つｎライン同士のＲＧＢデータも同じである場合には「Ｈ」となる一方、それ以外の場合には「Ｌ」となる。換言すれば、2nd.フレームと1st.フレームとが同じ画像(静止画像)である場合には、第５レジスタ８からはレベル「Ｈ」の信号が出力される一方、それ以外の場合にはレベル「Ｌ」の信号が出力されるのである。
【００４１】
そして、上記外部画像入力装置１に3rd.フレームのＲＧＢデータが入力されると、3rd.ＦＬＭパルスによって第４ゲート７は開放されて、2nd.フレームと1st.フレームとの１ライン〜(ｎ−１)ラインに関する上記論理積値と2nd.フレームと1st.フレームとのｎライン(最終ライン)に関する上記論理積値との比較結果が、第５レジスタ８から出力されて第６レジスタ６に格納される。その結果、第５ゲート５は、2nd.フレームと1st.フレームとが同じ画像(静止画像)である場合には閉鎖して、3rd.フレームのＲＧＢデータはＳＲＡＭ２に入力されない。一方、2nd.フレームと1st.フレームとが異なる画像(動画像)である場合には開放して、3rd.フレームのＲＧＢデータはＳＲＡＭ２に入力されるのである。
【００４２】
以後、上述の動作を、最終フレームのＲＧＢデータまで繰り返して行われる。
【００４３】
以上のごとく、本実施の形態においては、上記第１比較器１５によって、現フレームの各ラインのパリティチェック結果と、前フレームの同じラインのパリティチェック結果とを比較し、同じ値である場合には「Ｈ」の信号を出力する。一方、第２比較器１６によって、現フレームの各ラインのビット加算結果と、前フレームの同じラインのビット加算結果とを比較し、同じ値である場合には「Ｈ」の信号を出力する。そして、第１アンドゲート１７によって、各ライン毎に、第１比較器１５の出力と第２比較器１６の出力との論理積を演算し、現フレームと前フレームとのＲＧＢデータが同じである場合には「Ｈ」の信号を出力する。さらに、第２アンドゲート１９によって、現フレームと前フレームとに関して、現ラインの第１アンドゲート１７による論理積値と１ライン〜前ラインの第２アンドゲート１９による論理積値との論理積を演算し、現ラインにおける現フレームと前フレームとのＲＧＢデータが同じであり且つ１ライン〜前ラインにおける現フレームと前フレームとのＲＧＢデータが同じである場合に、「Ｈ」の信号を出力する。こうして、第６レジスタ６には、１ライン〜最終ラインにおける現フレームと前フレームとのＲＧＢデータが同じである場合に、「Ｈ」の値が格納される。
【００４４】
そして、上記第６レジスタ６の格納値が「Ｌ」の場合に第５ゲートを開いて、次フレームのＲＧＢデータをＳＲＡＭ２に入力するようにしている。すなわち、第６レジスタ６の格納値が「Ｈ」の場合には現フレームを静止画と見なす一方、第６レジスタ６の格納値が「Ｌ」の場合には現フレームを動画と見なして、次フレームのＲＧＢデータのＳＲＡＭ２への入力を決定するのである。
【００４５】
図３〜図５は、図２に示す外部画像入力装置１におけるＦＬＭパルス,入力ＲＧＢデータ,第６レジスタ６の出力およびＳＲＡＭ２の格納データのタイミングチャートを示す。尚、図３は静止画像の場合であり、図４は動画像の場合であり、図５は静止画像と動画像とが混合されている場合である。また、ＳＲＡＭ２の格納データに付した番号は、入力ＲＧＢデータのフレーム番号に対応している。
【００４６】
図３〜図５において、上述したように、第６レジスタ６の出力信号の初期値は「Ｌ」であり、1st.ＦＬＭパルスで第６レジスタ６には「Ｈ」の信号が入力されるので、ＳＲＡＭ２には、1st.フレームには入力ＲＧＢデータの1st.フレームが格納され、2nd.フレームには入力ＲＧＢデータの1st.フレームが繰り返し格納される。そして、3rd.フレーム以降には、入力画像が静止画像である場合には直前のフレームで格納されたＲＧＢデータが繰り返し格納される一方、入力画像が動画像である場合には入力ＲＧＢデータが格納されるのである。
【００４７】
以上のごとく、本実施の形態によれば、外部入力画像が静止画であると判定した場合には、入力ＲＧＢデータをＳＲＡＭ２へ入力しないようにでき、ＳＲＡＭ２に外部入力画像を格納する際の消費電力を低減することできるのである。すなわち、本実施の形態における効果は、静止画期間が長い程有効なものとなる。例えば、携帯電話での待ち受け画面等のような静止画像期間が長い場合は、その効果は絶大なものとなる。
【００４８】
さらに、その場合に、現フレームと前フレームとの同じラインのＲＧＢデータを比較する際に、パリティチェック部３によるパリティチェック結果とビット加算演算部４によるビット加算結果とを比較するようにしている。したがって、比較結果を処理する処理回路や処理結果を格納するレジスタを、最も簡単な構成である１ビット単位の処理回路(アンドゲート)やレジスタで構成することできる。すなわち、本外部画像入力装置１における面積の増大を最小限に抑えて、携帯機器に最適な構成を提供することができるのである。
【００４９】
尚、上記実施の形態においては、第４ゲート７および第５ゲート５をフレーム単位で開閉して、入力画像データをフレーム単位でフレームメモリ２に入力しているが、ライン単位で開閉して、入力画像データをライン単位でフレームメモリ２に入力することも可能である。
【図面の簡単な説明】
【００５０】
【図１】この発明の外部画像入力装置を用いた画像入力システムの構成図である。
【図２】図１における外部画像入力装置の内部構成を示す図である。
【図３】入力画像が静止画像である場合の各部のタイミングチャートである。
【図４】入力画像が動画像である場合の各部のタイミングチャートである。
【図５】入力画像が静止画像と動画像とが混合されている場合の各部のタイミングチャートである。
【符号の説明】
【００５１】
１…外部画像入力装置、
２…ＳＲＡＭ、
３…パリティチェック部、
４…ビット加算演算部、
５…第５ゲート、
６…第６レジスタ、
７…第４ゲート、
８…第５レジスタ、
９…第１レジスタ、
１０…第２レジスタ、
１１…第１ゲート、
１２…第３レジスタ、
１３…第２ゲート、
１４…第４レジスタ、
１５…第１比較器、
１６…第２比較器、
１７…第１アンドゲート、
１８…第３ゲート、
１９…第２アンドゲート。
【図１】
2006184357.tif 000003
【図２】
2006184357.tif 000004
【図３】
2006184357.tif 000005
【図４】
2006184357.tif 000006
【図５】
2006184357.tif 000007